【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
顕微鏡（１１）において自動的に焦点を合わせる方法であって、
少なくとも２つのマーカー（１２）が対象物上に生成され；
当該マーカー間の間隔（ｄ）が、顕微鏡（１１）の焦点面（１０）から作業面（９）までの対象物における焦点ずれに関する指標を表し；
各マーカー（１２）が予め定義された間隔（ｄＦ）で存在する場合には前記作業面（９）が焦点面（１０）に位置し；
マーカー間の間隔（ｄ）の関数に基づいて、焦点合わせ機構（フォーカスドライブ）（６）が作業面（９）を焦点面（１０）まで移動させ；
焦点合わせ機構（６）が作業面（９）を焦点面（１０）まで移動させる速度（ｖ）が、マーカー間の間隔（ｄ）の関数に基づいて調節されることを特徴とする方法。
【請求項２】
前記マーカー（１２）がスポットの形状（ないし斑点状）であることを特徴とする請求項１に記載の方法。
【請求項３】
焦点合わせ機構（６）の速度（ｖ）は、マーカー間の間隔（ｄ）の多項式関数又は指数関数で表されることを特徴とする請求項１又は２に記載の方法。
【請求項４】
マーカー（１２）は、顕微鏡（１１）のビームパスにカップルされるオートフォーカスビームパス（１３、１４）によって生成されることを特徴とする請求項１〜３に記載の方法。
【請求項５】
マーカーは、点光源（５）によって生成されたオートフォーカスビームパス（１３、１４）によって生成され、
点光源（５）は、顕微鏡（１１）のビームパスに配設されることを特徴とする請求項１〜３に記載の方法。
【請求項６】
顕微鏡（１１）が対物レンズ（２）と下流ズームシステム（１）とを有し、
オートフォーカスビームパス（１３、１４）の入射結合、又は、点光源（５）の配設が、対物レンズ（２）とズームシステム（１）との間で行われることを特徴とする請求項４又は５に記載の方法。
【請求項７】
顕微鏡（１１）が対物レンズ（２）と下流ズームシステム（１）とを有する場合において、
対象物から反射した対応オートフォーカスビームパス（１３、１４）を顕微鏡（１１）のビームパスの外へ分離出射した後に、対象物上に位置したマーカー（１２）の画像を検出部（４）によって取得することを特徴とする請求項１〜６に記載の方法。
【請求項８】
反射したオートフォーカスビームパス（１３、１４）の分離出射が、顕微鏡（１１）の対物レンズ（２）から観た場合に、ズームシステム（１）の背後で実行されることを特徴とする請求項７に記載の方法。
【請求項９】
実体顕微鏡（１１）の場合において、
反射したオートフォーカスビームパス（１３、１４）の分離出射が、実体顕微鏡（１１）の２本の観察ビームパスの内の１本のみに実行されることを特徴とする請求項７又は８に記載の方法。
【請求項１０】
各々異なる波長を有するオートフォーカスビームパス（１３、１４）がマーカー（１２）の生成に使用されることを特徴とする請求項１〜９に記載の方法。
【請求項１１】
波長が、可視波長領域のものであることを特徴とする請求項１０に記載の方法。
【請求項１２】
顕微鏡（１１）の光学軸（１７）に沿って進行するターゲットビームパスが使用され、
当該ビームパスによってターゲットマーカー（１２）が対象物上に生成されることを特徴とする請求項１〜１１に記載の方法。
【請求項１３】
ターゲットマーカーが、対象物上に生成される少なくとも２つのマーカー（１２）の１つとして使用されることを特徴とする請求項１２に記載の方法。
【請求項１４】
対象物上に生成される少なくとも２つのマーカー（１２）に加えて、ターゲットマーカーが更に使用されることを特徴とする請求項１２に記載の方法。
【請求項１５】
顕微鏡の倍率（Γ）が決定され、
顕微鏡倍率（Γ）の関数に基づいて、焦点合わせ機構（６）の速度（ｖ）が追加的に調節されることを特徴とする請求項１〜１４に記載の方法。
【請求項１６】
焦点合わせ機構（６）の速度（ｖ）が、ｄ’＝ｄ／Γ（当該式において、ｄ＝マーカー間の間隔であり、そして、Γ＝顕微鏡の倍率である）となるように、修正したマーカー間の間隔（ｄ’）の関数に基づいて調節されることを特徴とする請求項１５に記載の方法。
【請求項１７】
顕微鏡の倍率が、一定の焦点合わせ機構の速度におけるマーカー間の間隔（ｄ）の変化の割合から確認されることを特徴とする請求項１５又は１６に記載の方法。
【請求項１８】
顕微鏡（１１）において自動的に焦点を合わせる自動焦点適合装置であって、
少なくとも２つのマーカー（１２）が対象物上に生成され；
当該マーカー間の間隔（ｄ）が、顕微鏡（１１）の焦点面（１０）から対象物における作業面（９）までの焦点ずれに関する指標を表し；
各マーカー（１２）が予め定義された間隔（ｄＦ）で存在する場合には前記作業面（９）が焦点面（１０）に位置し；
マーカー間の間隔（ｄ）の関数に基づいて、焦点合わせ機構（フォーカスドライブ）（６）が作業面（９）を焦点面（１０）まで移動させ；
検出部（４）が対象物上に生成されたマーカー（１２）の画像を取得して、マーカー（１２）間の間隔を評価ユニット（７ａ）が測定し；
コントロールユニット（７ｂ）が、測定されたマーカー間の間隔（ｄ）の関数に基づいて、作業面（９）が焦点面（１０）まで移動するように焦点合わせ機構（６）の速度を調節することを特徴とする自動焦点適合装置。
【請求項１９】
前記マーカー（１２）がスポットの形状（ないし斑点状）であることを特徴とする請求項１８に記載の自動焦点適合装置。
【請求項２０】
少なくとも１本の点光源（５）が、対象物上に少なくとも１つのマーカーを生成する関連するオートフォーカスビームパス（１３、１４）を生成するために備えられることを特徴とする請求項１８又は１９に記載の自動焦点適合装置。
【請求項２１】
１つの点光源（５）、及び、２つ以上のビームスプリッター（３）が、対象物上に２つ以上のマーカー（１２）を生成するために備えられることを特徴とする請求項２０に記載の自動焦点適合装置。
【請求項２２】
複数の点光源（５）が、顕微鏡（１１）のビームパスに配設されることを特徴とする請求項２０に記載の自動焦点適合装置。
【請求項２３】
顕微鏡（１１）が対物レンズ（２）と下流ズームシステム（１）とを有し、
複数の点光源（５）が、対物レンズ（２）とズームシステム（１）との間に配設されることを特徴とする請求項２２に記載の自動焦点適合装置。
【請求項２４】
顕微鏡（１１）が対物レンズ（２）と下流ズームシステム（１）とを有し、
対象物から反射した対応オートフォーカスビームパス（１３、１４）を顕微鏡（１１）のビームパスの外へ分離出射した後に、対象物に位置したマーカー（１２）の画像を検出部（４）によって取得し、
特に、顕微鏡（１１）の対物レンズ（２）から観た場合のズームシステム（１）の背後に、ビームスプリッター（３）が分離出射のために備えられることを特徴とする請求項１８〜２３に記載の自動焦点適合装置。
【請求項２５】
実体顕微鏡（１１）の場合において、
反射したオートフォーカスビームパス（１３、１４）を分離出射するためのビームスプリッター（３）が、実体顕微鏡（１１）の２本の観察ビームパスの内の１本のみに配設されることを特徴とする請求項２４に記載の自動焦点適合装置。
【手続補正２】
【補正対象書類名】明細書
【補正対象項目名】０００１
【補正方法】変更
【補正の内容】
【０００１】
［関連出願の引用］
本出願は、２０１１年９月１５日に出願された独国特許出願１０  ２０１１  ０８２  ７５６．０号のパリ条約に基づく優先権の利益を主張する。該出願の全開示が本願に引用によって組み込まれる。